(57)【要約】      （修正有）【課題】コマコイルコアの振動に起因する異音の発生を抑制する偏向ヨークを提供する。【解決手段】大径フランジ部と小径フランジ部とこの小径フランジ部に形成されたネック部と小径フランジ部にネック部を挟んで対向配置された一対のコマコイルアッシー（８ａ）とを備え、コマコイルアッシーは、一対の脚部（８１ａ）を有するコ字状積層コア（８１）と、積層コアに対して一対の脚部の先端側を露出するように被覆形成されたボビン（８２）と、ボビンに巻回されたコイル（８３）と、露出した一対の脚部に跨って取り付けられたコアサポータ（８４）と、を有し、積層コアは小径フランジ部に非接触とされ、コアサポータは一対の脚部をその厚さを圧縮する方向に付勢する。【選択図】図２
2008153162.tif 000002
【特許請求の範囲】
【請求項１】
大径フランジ部と、小径フランジ部と、該小径フランジ部に形成されたネック部と、前記小径フランジ部に前記ネック部を挟んで対向配置された一対のコマコイルアッシーと、を備えた偏向ヨークにおいて、
前記コマコイルアッシーは、一対の脚部を有するコ字状の積層コアと、該積層コアに対して前記一対の脚部の先端側を露出するように被覆形成されたボビンと、該ボビンに巻回されたコイルと、露出した前記一対の脚部に跨って取り付けられたコアサポータと、を有し、
前記積層コアは、前記小径フランジ部に非接触とされ、前記コアサポータは、前記一対の脚部を、その厚さを圧縮する方向に付勢することを特徴とする偏向ヨーク。
【請求項２】
前記コアサポータは、前記一対の脚部を、その互いの間隔を広げる方向に付勢することを特徴とする請求項１記載の偏向ヨーク。
【請求項３】
前記コアサポータは、前記一対の脚部を、その互いの間隔を縮める方向に付勢することを特徴とする請求項１記載の偏向ヨーク。
【発明の詳細な説明】
【技術分野】
【０００１】
本発明は、偏向ヨークに係り、特に、コマコイルアッシーのコアの振動に起因して発生する異音を抑制する技術に関する。
【背景技術】
【０００２】
従来、コマコイルアッシーを搭載した偏向ヨークにおいては、垂直偏向コイルからの漏洩磁界を根本原因としてそのコマコイルアッシーのコアに起因した異音が発生することが知られている。
そして、その異音の発生を抑制する技術の一例が特許文献１に記載されている。
【特許文献１】特開２００４−１１１０７０号公報
【発明の開示】
【発明が解決しようとする課題】
【０００３】
上述したコマコイルアッシー（特許文献１における記載はコマフリーコイル）を起因とする異音は、垂直偏向コイルから漏洩する交番磁界により以下の現象が生じて発生すると推察されている。
（１）コマコイルアッシーのコ字状のコアが振動してその脚部がセパレータの鍔部を周期的に叩く
（２）コマコイルアッシーのコ字状のコアに磁歪振動が生じ、その振動がセパレータに伝達されてセパレータ自体が振動する
（３）コマコイルアッシーのコ字状のコアとして積層された各コア単体同士が振動し、互いを周期的に叩く
【０００４】
ところで、特許文献１に記載された従来技術は、コマコイルアッシーを、セパレータの鍔部に設けた突出部に固定し、コマコイルアッシー全体を鍔部から離間して配置するものであり、コマコイルアッシーで発生した振動のセパレータへの伝達を妨ぐことができる。
従って、この従来技術は、（１）及び（２）の現象発生を防止するものであるが、コマコイルアッシーで発生した振動がセパレータに伝達して生じるものではない（３）の現象発生は防止できない。
さらに、コマコイルアッシーのコ字状のコアは、磁歪によって、管軸と直交する方向（コ字状の先端が拡縮する方向）に振動しており、この振動も異音の原因になっていることが推察されている。
【０００５】
そこで、本発明が解決しようとする課題は、コマコイルアッシーで発生した振動のセパレータへの伝達を防ぐと共にコマコイルアッシーの積層コア同士の叩き合いを防ぎ、コマコイルアッシーのコアの振動に起因する異音の発生をより抑制することができる偏向ヨークを提供することにある。
【課題を解決するための手段】
【０００６】
上記の課題を解決するために、本願発明は次の１）〜３）の構成を有する。
１）  大径フランジ部（４）と、小径フランジ部（３）と、該小径フランジ部（３）に形成されたネック部（２）と、前記小径フランジ部（３）に前記ネック部（２）を挟んで対向配置された一対のコマコイルアッシー（８ａ，８ｂ）と、を備えた偏向ヨークにおいて、
前記コマコイルアッシー（８ａ，８ｂ）は、一対の脚部（８１ａ）を有するコ字状の積層コア（８１）と、該積層コア（８１）に対して前記一対の脚部（８１ａ）の先端側を露出するように被覆形成されたボビン（８２）と、該ボビン（８２）に巻回されたコイル（８３）と、露出した前記一対の脚部（８１ａ）に跨って取り付けられたコアサポータ（８４）と、を有し、
前記積層コア（８１）は、前記小径フランジ部（３）に非接触とされ、前記コアサポータ（８４）は、前記一対の脚部（８１ａ）を、その厚さを圧縮する方向に付勢することを特徴とする偏向ヨーク（５０）である。
２）  前記コアサポータ（８４）は、前記一対の脚部（８１ａ）を、その互いの間隔（Ｌ２）を拡大する方向に付勢することを特徴とする１）に記載の偏向ヨーク（５０）である。
３）  前記コアサポータ（８４）は、前記一対の脚部（８１ａ）を、その互いの間隔（Ｌ２，Ｌ２２）を縮小する方向に付勢することを特徴とする１）に記載の偏向ヨーク（５０）である。
【発明の効果】
【０００７】
本発明によれば、コマコイルアッシーで発生した振動のセパレータへの伝達を防ぐと共にコマコイルアッシーの積層コア同士の叩き合いを防ぎ、異音の発生をより抑制することができる、という効果を奏する。
【発明を実施するための最良の形態】
【０００８】
本発明の偏向ヨークの実施例について、図１〜図５，図７及び図８を用いて説明する。
【０００９】
図１は、この偏向ヨーク５０の外観図である。
偏向ヨーク５０は、いわゆるサドル−サドル型であり、一対のセパレータ半体１ａ，１ｂが組み合わされて概ね漏斗状とされたセパレータ１と、このセパレータ１の外側に装着された一対の垂直コイル５ａ，５ｂと、この垂直コイル５ａ，５ｂの外側に装着された一対のコア６ａ，６ｂとを備えている。セパレータ１の内側には一対の水平コイル（図示せず）が装着されている。
【００１０】
セパレータ１は、この偏向ヨーク５０が装着される陰極線管の管軸Ｚ方向における一方の端部側に大径フランジ部４を備え、他方の端部側にはフランジ３ａ〜３ｃからなる小径フランジ部３とフランジ３ｂから円筒状に突出するネック部２とを備えている。このネック部２には、この偏向ヨーク５０を陰極線管に装着する際にネック部２を締め付けるためのクランプアッシー７が装着されている。
【００１１】
小径フランジ部３において最も外側に位置し、４つに分割形成されたフランジ３ａ（３ａ１〜３ａ４）とフランジ３ｂとには、ネック部２を挟んで対向するように一対のコマコイルアッシー８ａ，８ｂが配設されている。
すなわち、フランジ３ａとフランジ３ｂとに跨って設けられたコイル保持部９ａ，９ｂにコマコイルアッシー８ａ，８ｂがそれぞれ保持されている。
【００１２】
次に、実施例の偏向ヨーク５０で用いるコマコイルアッシー８ａ，８ｂについて詳述する。
コマコイルアッシー８ａ，８ｂは互いに同じ構成であるので、以下の説明においては、コマコイルアッシー８ａを代表として説明する。
また、保持部９ａ，９ｂについても同様であり、以下の説明においては、保持部９ａを代表として説明する。
【００１３】
コマコイルアッシー８ａは、図２に示す外観を呈し、一対の脚部８１ａを有するコ字状のコア８１を樹脂によりインサート成形して成るボビン８２（図３参照）と、このボビン８２に巻回したコイル８３と、コア８１の一対の脚部８１ａに対して、これらに跨って強嵌合で取り付けられたコアサポータ８４と、を備えている。ボビン８２に用いる樹脂としてポリプロピレンなどの熱可塑性樹脂がある。
また、ボビン８２は、コア８１の一対の脚部８１ａの先端部側を露出させて他の部分を被覆するように形成される。
【００１４】
図３は、ボビン８２単体の平面図と側面図とを示している。
このボビン８２は、コイル８３の巻回範囲Ｃの両端部にその巻回範囲を規制するための鍔部８２ａ，８２ｂがそれぞれボビン８２の両面（上面，下面）側に延出して設けられている。
また、長手方向の両端部側の上面及び下面には、保持部９ａ，９ｂの保持腕（後述する）が係合する凹部８２ｃ，８２ｄが形成されている。
コア８１は、薄い電磁鋼板を３枚又は４枚程度積層して形成され、コアサポータ８４は樹脂を射出成形して形成される。
また、コアサポータ８４は、ボビン８２にコイル８３を巻回した後にコア８１に装着される。
【００１５】
図４は、コアサポータ８４をコア８１から外した状態を示している。
このコアサポータ８４は、略直方体に形成されており、長手方向の両端部には、外側に開口するコ字状の嵌合部８４ａが設けられている。また、中央部には、凹部８４ｂを有している。
嵌合部８４ａは、その厚さ方向の開口幅をＴ１，底部８４ａ１間距離をＬ１としたときに、コア８１の厚さＴ２，腕部８１ａ間距離Ｌ２に対して、  Ｔ１＜Ｔ２，Ｌ１＞Ｌ２  と設定されている。
すなわち、コアサポータ８４は、コア８１に対し、その厚さ方向において積層した電磁鋼板を互いに密着させるように付勢し、また、一対の脚部８１ａを外側に広げるように付勢する強嵌合となるように装着されている。
凹部８４ｂは、このコマコイルアッシー８ａを偏向ヨーク５０に装着した際に、コイル８３を出来る限り管軸Ｚに接近させて高い感度特性を得るために設けられたネック部２の逃げ部である。
【００１６】
上述したコマコイルアッシー８ａは、保持部９ａに以下のように保持される。ここでは、保持部９ａ近傍を拡大した図５を用いて説明する。
【００１７】
図５に示すように、保持部９ａは、コマコイルアッシー８ａの管軸Ｚ方向の基準面となるフランジ３ｂの上面（基準面）３ｂｋと、コマコイルアッシー８ａの長手方向（Ｘ方向）の基準となるフランジ３ａ１とフランジ３ａ２との対向面３ａ１ｔ，３ａ２ｔと、フランジ３ｂまたはネック部２に突出して形成され、ボビン８２の鍔部８２ｂの先端面８２ｂｓｔ（図３参照）に当接してボビン８２の管軸Ｚに向かう位置を規制する内側規制部（図示せず）と、フランジ３ａ１，３ａ２にそれぞれ形成されフランジ３ｂに対して直交する方向に可撓性を有する保持腕部３ａ１ｕ，３ａ２ｕと、を有する。
【００１８】
この保持部９ａにより、コマコイルアッシー８ａは、基準面３ｂｋにボビン８２の一方の鍔部８２ｂの端面が当接して管軸Ｚの大径フランジ側に向かう方向の位置が規制され、鍔部８２ｂとは反対面側に設けられた凹部８２ｃなどに保持腕部３ａ１ｕ，３ａ２ｕが付勢するように当接して管軸Ｚの反対方向の位置及び管軸Ｚから遠ざかる方向の位置が規制され、鍔部８２ｂの先端面８２ｂｓｔが内側規制部に当接して管軸Ｚに近づく方向の位置が規制されて、偏向ヨーク５０に保持される。
ここで、コマコイルアッシー８ａは、ボビン８２のみがセパレータ１に接触し、コア８１とセパレータ１とは非接触で互いに充分な間隙を有して取り付けられている。
保持腕部３ａ１ｕ，３ａ２ｕは、相応の付勢力を有してボビン８２を付勢するので接着剤を不要として固定されるが、もちろん接着剤を併用してもよい。その場合、接着剤がコア８１に接触しないようにする。
【００１９】
このような構成のコマコイルアッシー８ａ，８ｂ及び保持部９ａ，９ｂによる保持構造を有する偏向ヨーク５０は、コア８１とフランジ３、すなわちセパレータ１とが非接触となっており、両者間に充分な間隙が設けられているので、コア８１の振動によってその脚部８１ａがセパレータ１を叩いたり、その振動がセパレータに伝わるのを極めて効果的に抑制するので、異音の発生が抑えられる。
【００２０】
また、コアサポータ８４をコア８１に対してその積層方向に強嵌合で取り付けているので、積層されたコア自体の振動が規制されてコア同士の叩きによる異音発生を抑えることができる。
【００２１】
また、コアサポータ８４をコア８１に対してその脚部８１ａの間隔拡大を規制するように強嵌合で取り付けているので、積層されたコア自体のＸ方向（脚部８１ａ間の拡縮方向）の振動が規制され、コマコイルアッシー８ａ，８ｂ全体の振動が低減して異音発生を極めて良好に抑制することができる。
【００２２】
この実施例の偏向ヨーク５０における異音抑制効果を測定すると、ネック端から大径フランジとは反対の方向に距離１１ｃｍだけ離れた位置における騒音レベルが従来の偏向ヨークに対して約４ｄＢ低下することが認められた。
【００２３】
また、従来及び実施例の偏向ヨークそれぞれについてコア８１の先端部におけるＸ方向（図１参照）の振動レベルをレーザードップラ計で測定した結果を、図６，図７に示す。
図６は従来の偏向ヨーク、図７は実施例の偏向ヨーク５０についての周波数と振動レベルとの関係を示した図である。特に顕著な振動レベル差が得られた範囲を円で囲っている。
図６における従来の偏向ヨークには、約６，０００Ｈｚおいて−８６ｄＢのピーク振動が発生しており異音の発生が推察されるが、図７における実施例の偏向ヨーク５０には、そのピーク振動が無くなって振動が顕著に低減されており、異音の発生が抑制されていることが推察される。
【００２４】
ところで、コアサポータ８４は、コア８４の脚部８１ａを外側に開くように付勢するものでなくてもよい。
図８に示すように、枠体状のコアサポータ８４０を、コア８１の脚部８１ａの外側に嵌合するものとし、コアサポータ８４０の開口部８４０ｋの幅Ｌ１１と脚部８１ａの外側間隔Ｌ２２との関係を、Ｌ１１＜Ｌ２２として脚部８１ａを内側に互いに接近する方向に付勢するものでもよい。
もちろん、この場合も、開口部８４０ｋの高さ（短手幅）Ｔ１１とコア８１の厚さＴ２との関係を、Ｔ１１＜Ｔ２と設定して積層したコア８１を互いに密着させる方向に付勢するように設定する。
【００２５】
本発明の実施例は、上述した構成及び手順に限定されるものではなく、本発明の要旨を逸脱しない範囲において変形例としてもよいのは言うまでもない。
例えば、実施例において、偏向ヨーク５０をサドル−サドル型として説明したが、サドル−トロイダル型であってもよい。
【図面の簡単な説明】
【００２６】
【図１】本発明の偏向ヨークの実施例を示す斜視図である。
【図２】本発明の偏向ヨークの実施例における要部を示す斜視図である。
【図３】本発明の偏向ヨークの実施例における要部を説明するための平面図と側面図である。
【図４】本発明の偏向ヨークの実施例における要部の構成を説明するための斜視図である。
【図５】本発明の偏向ヨークの実施例における他の要部を説明するための部分拡大斜視図である。
【図６】従来の偏向ヨークの振動レベルを説明するためのグラフである。
【図７】本発明の偏向ヨークの実施例における振動レベルを説明するためのグラフである。
【図８】本発明の偏向ヨークの実施例における変形例を説明するための斜視図である。
【符号の説明】
【００２７】
１  セパレータ
１ａ，１ｂ  セパレータ半体
２  ネック部
３  小径フランジ部
３ａ〜３ｃ  フランジ
３ａ１〜３ａ４  フランジ
３ａ１ｔ，３ａ２ｔ  対向面
３ａ１ｕ，３ａ２ｕ  保持腕部
３ｂｋ  基準面
４  大径フランジ部
５ａ，５ｂ  垂直コイル
６ａ，６ｂ  コア
７  クランプアッシー
８ａ，８ｂ  コマコイルアッシー
９ａ，９ｂ  保持部
５０  偏向ヨーク
８１  コア
８１ａ  脚部
８２  ボビン
８２ａ，８２ｂ  鍔部
８２ｂｓｔ  先端面
８２ｃ，８２ｄ  凹部
８３  コイル
８４，８４０  コアサポータ
８４ａ  嵌合部
８４ｂ  凹部
８４０ｋ  開口部
Ｚ  管軸
【図１】
2008153162.tif 000003
【図２】
2008153162.tif 000004
【図３】
2008153162.tif 000005
【図４】
2008153162.tif 000006
【図５】
2008153162.tif 000007
【図６】
2008153162.tif 000008
【図７】
2008153162.tif 000009
【図８】
2008153162.tif 000010